(57)【要約】【課題】ユーザが視聴または再生している番組と関連のある情報を抽出し、ユーザに提示する電子機器及び映像表示方法を提供する。【解決手段】実施形態の映像表示方法は、映像再生手段が再生する映像と関連する第一の情報を抽出し、抽出した第一の情報に関連する第二の情報を抽出し、抽出した第一と第二の情報とに基づいて、サーバが保持する第三の情報と関連付けて第四の情報を生成し、表示中の映像に、生成した第四の情報を表示する。【選択図】図１
2014206911.tif 000002
【特許請求の範囲】
【請求項１】
映像再生手段が再生する映像と関連する第一の情報を抽出し、
抽出した第一の情報に関連する第二の情報を抽出し、
抽出した第一と第二の情報とに基づいて、サーバが保持する第三の情報と関連付けて第四の情報を生成し、
表示中の映像に、生成した第四の情報を表示する映像表示方法。
【請求項２】
第一の情報は、第三の情報と関連付けることが可能に、映像が紹介する施設を特定することのできる情報、施設のサービスに関する情報及び施設のサービスの利用可能情報の少なくとも１つを含み、
第二の情報は、第一の情報が特定する施設と類似する施設の情報、第一の情報が特定する施設の別の映像に関する情報及び第一の情報が特定する施設の利用可能情報に対応して設定する第二の利用可能情報の少なくとも１つを含む請求項１の映像表示方法。
【請求項３】
利用可能情報及び第二の利用可能情報は、利用日を特定する情報を含む請求項１または２の映像表示方法。
【請求項４】
第二の利用可能情報は、第三の情報を参照し、候補日を抽出する請求項３の映像表示方法。
【請求項５】
第二の利用可能情報は、第三の情報を参照し、第一の情報のうち第二の情報により置き換え可能な情報を抽出する請求項３の映像表示方法。
【請求項６】
映像表示手段に、番組に対応する再生信号を出力する映像再生手段と、
前記再生信号から前記番組の映像と関連する第一の情報及び前記第一の情報に関連する第二の情報を抽出する抽出手段と、
前記抽出手段が抽出する抽出結果とサーバが保持する第三の情報とを関連付けて、前記映像表示手段が表示する第四の情報を生成する情報処理手段と、
を具備する電子機器。
【請求項７】
前記第一の情報は、第三の情報と関連付けることが可能に、映像が紹介する施設を特定することのできる情報、施設のサービスに関する情報及び施設のサービスの利用可能情報の少なくとも１つを含み、
第二の情報は、第一の情報が特定する施設と類似する施設の情報、第一の情報が特定する施設の別の映像に関する情報及び第一の情報が特定する施設の利用可能情報に対応して設定する第二の利用可能情報の少なくとも１つを含む請求項６の電子機器。
【請求項８】
前記利用可能情報及び前記第二の利用可能情報は、利用日を特定する情報を含む請求項６または７の電子機器。
【請求項９】
前記第二の利用可能情報は、前記第三の情報を参照して候補日を抽出する請求項８の電子機器。
【請求項１０】
前記第二の利用可能情報は、前記第三の情報を参照して第一の情報のうち第二の情報により置き換え可能な情報を抽出する請求項８の電子機器。
【請求項１１】
前記映像再生手段は、任意数の番組について、名称、前記第一の情報及び前記第二の情報を関連付けたデータベースを含む請求項６の電子機器。
【発明の詳細な説明】
【技術分野】
【０００１】
この発明は、電子機器及び映像表示方法に関する。
【背景技術】
【０００２】
放送事業者や配信事業者が供給する番組を受信して記録し、ユーザの要求に応じて再生する電子機器、例えばテレビジョン受信装置あるいはモニタ（ディスプレイ）装置と接続するレコーダ装置（以下クライアント端末またはユーザと称する）は、インターネット等のネットワークを通じて、さまざまな情報の取得が可能である。
【０００３】
なお、クライアント端末（ユーザ）は、多くの番組の記録（録画）が可能である。さらに、ユーザ（クライアント端末）は、ネットワークを通じて、さまざまなデータベースを利用可能である。例えば、録画してある録画済み番組の番組名（番組タイトル）や放送局（チャンネル名）及び放送日時から、その番組の主要な内容（例えば旅番組であるような場合、紹介された地域の名称や宿泊先）や費用等をネットワーク上のデータベース（外部サービス／サーバ）から取得できる。
【先行技術文献】
【特許文献】
【０００４】
【特許文献１】特開平１１−５３３８９号公報
【発明の概要】
【発明が解決しようとする課題】
【０００５】
ネットワーク上のデータベースにおいては、個々の番組の内容についての一般的な放送波から取得可能なＥＰＧ（電子番組表）が提供する情報、等に比較して多くの情報を含む場合がある。
【０００６】
反面、ユーザが視聴または録画している番組との間の関連付けについては、キーワードの入力を求める、等の何らかのユーザ負担を必要とする場合が少なくない。
【０００７】
また、番組で取りあげられることにより関心を持つユーザが急増し、長期にわたる予約待ちが生じる、あるいはアクセスが集中して詳細情報が得にくい、等の解決すべき課題もある。
【０００８】
この発明の目的は、ユーザが視聴または再生している番組と関連のある情報を抽出し、ユーザに提示する電子機器及び映像表示方法を提供することである。
【課題を解決するための手段】
【０００９】
実施形態の映像表示方法は、映像再生手段が再生する映像と関連する第一の情報を抽出し、抽出した第一の情報に関連する第二の情報を抽出し、抽出した第一と第二の情報とに基づいて、サーバが保持する第三の情報と関連付けて第四の情報を生成し、表示中の映像に、生成した第四の情報を表示する。
【図面の簡単な説明】
【００１０】
【図１】実施形態に係るシステム構成の概要の一例を示す。
【図２】実施形態に係るシステム構成の概要の一例を示す。
【図３】実施形態に係る電子機器［関連番組データベース］の一例を示す。
【図４Ａ】実施形態に係るシステムにおいてデータ供給元が提供する情報の一例を示す。
【図４Ｂ】実施形態に係るシステムにおいてデータ供給元が提供する情報の一例を示す。
【図４Ｃ】実施形態に係るシステムにおいてデータ供給元が提供する情報の一例を示す。
【図４Ｄ】実施形態に係るシステムにおいてデータ供給元が提供する情報の一例を示す。
【図５Ａ】実施形態に係る画面表示［メニュー］の表示の一例を示す。
【図５Ｂ】実施形態に係る画面表示［検索画面］の表示の一例を示す。
【図５Ｃ】実施形態に係る画面表示［周辺案内］の表示の一例を示す。
【図５Ｄ】実施形態に係る画面表示［案内詳細］の表示の一例を示す。
【図５Ｅ】実施形態に係る画面表示［施設詳細］の表示の一例を示す。
【図５Ｆ】実施形態に係る画面表示［予約設定］の表示の一例を示す。
【図５Ｇ】実施形態に係る画面表示［代替表示］の表示の一例を示す。
【図５Ｈ】実施形態に係る画面表示［代替表示］の表示の一例を示す。
【図６】実施形態に係る画面表示［転送］の表示の一例を示す。
【図７】実施形態に係る画面表示［転送設定］の表示の一例を示す。
【発明を実施するための形態】
【００１１】
以下、図面を参照して、本発明の実施の一形態について説明する。
【００１２】
図１は、ユーザ（クライアント端末）である電子機器１０１、電子機器１０１とデータコントローラ１１１を経由して接続するネットワーク、例えばインターネット網１１、インターネット網１１上に位置する少なくとも１つのサーバまたはサーバ群（外部サービス機構）１，・・・，Ｎ（Ｎは正の整数）との間の接続の概念を示す。なお、外部サービス機構（サーバ／サーバ群）１，・・・，Ｎは、例えばクラウドサービス（１００１）と称する場合がある。
【００１３】
電子機器１０１は、例えば番組の受信と再生とが可能なデジタルテレビジョン放送受信装置（以下テレビ装置と称する）である。なお、図１は、テレビ装置１０１に、レコーダ装置２０１が接続する例を示す。
【００１４】
レコーダ装置２０１は、（録画機能のある）テレビ装置１０１である場合には、テレビ装置１０１及びレコーダ装置２０１の少なくとも一方が保持する録画済の番組について、録画機能がないテレビ装置１０１が接続する場合には、レコーダ装置２０１が保持する録画済の番組について、リスト化し、録画済番組リスト（データベース）を作成するホームサーバ機能を有する。
【００１５】
電子機器１０１は、例えばユーザインタフェース、無線または有線の通信機能（例えばブルートゥース（登録商標）等の近距離無線通信及びネットワーク（インターネット）を通じた外部との通信）、放送を受信する機能、受信した放送すなわち番組を処理する処理機能、番組を出力する番組出力機能もしくは記憶（録画）機能等を備える装置であれば、どのような装置であってもよい。装置の一例としては、放送を受信する機能を有するＰＣ（パーソナルコンピュータ）、放送受信装置を有する映像記録装置（レコーダ装置）と接続する映像表示装置（モニタ装置）、あるいは放送受信機能を有する携帯可能端末装置等への適用が可能である。なお、放送は、空間を伝播する電波として放送事業者（放送局）が提供するもの、あるいはケーブルやＩＰ（インターネット・プロトコル）網等のネットワークにより配信事業者が配信するもの等、を含む。また、放送は、映像と音声および／または音楽等を含み、一定の時間（放送時間）を単位とする番組を、連続して、あるいは一定期間（時間）提供する。なお、番組は、コンテンツもしくはストリームと呼称する場合もある。また、映像は、動画と静止画、あるいはテキスト（コード化された符号列で示される文字や記号等で表される情報）ならびにその任意の組み合わせを含む。
【００１６】
外部サービス機構１，・・・，Ｎは、例えば履歴サーバ（嗜好情報データベース）１、ＥＰＧサーバ（データベース）２、カレンダ／チャンネルデータサーバ（データベース）３、関連番組データベース（サーバ）４、及びデータ供給元サーバ（メタデータサーバ）５，・・・，等を含む。なお、履歴サーバ１及び関連番組データベース４あるいはＥＰＧサーバ２は、例えばテレビ装置１０１の製造元（メーカー）、もしくはその委託先の企業が運営するものもあるが、テレビ装置１０１の製造元と独立した企業が用意し、運営するものもある。一方で、データ供給元サーバ５は、例えばメタデータ作成機構（メタデータ作成会社）が用意し、運営する場合が一般的である。
【００１７】
履歴サーバ１は、ユーザの嗜好、例えばユーザが視聴あるいは録画した番組を再生した情報、すなわち履歴（ログデータ）等を保持する。また、履歴サーバ１は、テレビ装置１０１を通じてユーザがアクセスしたサイトのアクセス履歴、アクセスしたサイトにおいて購入した物品／コンサート等のチケットの購入／宿泊手配、等の決済に関する情報、施設の利用履歴や宿泊時の支払い額、等のさまざまな情報を取得し、保持する。なお、テレビ装置１０１と履歴サーバ１との間のデータの受け渡し、すなわちテレビ装置１０１から履歴サーバ１への情報の供給（送信）及びテレビ装置１０１による履歴サーバ１からの情報の取得（受信）は、データコントローラ１１１が受け持つ。
【００１８】
データコントローラ１１１はまた、外部サービス機構１，・・・，Ｎ相互間、すなわち履歴サーバ１、ＥＰＧサーバ２、カレンダ／チャンネルデータサーバ３、関連番組データベース４及びデータ供給元サーバ５のそれぞれとの間のデータの受け渡しを受け持つ。なお、データコントローラ１１１は、ユーザからのレコメンドを受けつけ、嗜好情報として処理するレコメンド処理も受け持つ（レコメンド処理エンジン（ＲＥ）としての機能を有する）。
【００１９】
また、データコントローラ１１１は、インターネット網１１上に位置する任意のサイト（Ｗｅｂページ）と電子機器（ユーザ）１０１との間の接続及びデータの受け渡しを制御する。なお、データコントローラ１１１は、テレビ装置１０１とネットワーク（インターネット網１１）との間に位置してもよいし、クラウドサービス１００１内（外部サービス機構１，・・・，Ｎ相互間の任意の位置）に位置してもよい。
【００２０】
ＥＰＧサーバ２は、テレビ装置（ユーザ）１０１が受信する番組の情報を、テレビ装置１０１による直接受信と独立に取得し、データベース（ＤＢ）化して、保持する。
【００２１】
カレンダ／チャンネルデータサーバ（データベース）３は、ユーザが録画予約した番組の放送日時、ユーザが受信（視聴／録画）可能なその地域の放送局（チャンネル）名及び配信事業者が提供するチャンネル名、ユーザが録画予約した番組と放送時間の一部が重複する他局の放送予定、（ユーザが録画予約した番組を含む）再放送情報、等を保持する。
【００２２】
関連番組データベース４は、視聴中または録画した番組の再生中に、ユーザがリモコン装置（操作入力部／携帯端末装置）により、テレビ装置１０１に、所定の操作入力（制御指示）を供給した場合、以下に説明するが、データ供給元サーバ５から供給され、（自身が）保持しているさまざまなデータから、履歴サーバ１が保持するユーザの視聴した番組あるいはユーザが録画予約した番組と関連のある番組と関連のあるデータを抽出する。
【００２３】
データ供給元サーバ５は、上述の番組と関連するさまざまな情報、すなわちメタデータを取り扱うメタデータ作成機構（作成会社）が用意し、管理するもので、ユーザ（テレビ装置）１０１あるいは履歴サーバ１から受信するキーワードや、履歴サーバ１が保持するユーザの嗜好、例えばユーザが視聴した番組またはユーザが録画予約した番組の番組情報及びその番組が含む「キーワード」またはユーザが登録している情報、として抽出可能なさまざまな情報を保持する。
【００２４】
すなわち、関連番組データベース４が保持するさまざまな情報及び履歴サーバ１が保持するユーザ（視聴者）の嗜好情報をデータ供給元（メタデータ）サーバ５が保持するさまざまな情報と所定のアルゴリズムや数値化手法、等を適用して関連付けることで、テレビ装置１０１（データコントローラ１１１）は、ユーザがアクセスした物販サイトやエージェント（サイト）へのアクセス履歴、アクセスしたサイトにおいて購入した物品／コンサート等のチケットの購入／施設の利用、宿泊手配（予約）等の決済に関する情報、施設の利用履歴や宿泊時の支払い（上限）額、等のさまざまな情報を、レコーダ装置が保持する映像と関連付けることができる。
【００２５】
なお、テレビ装置１０１は、データコントローラ１１１を経由するインターネット網との間のアクセスのために、例えば図２に一例を示す、クラウドアプリケーション（ＨＴＭＬ／ＪＳ／ＣＳＳ）を、テレビ装置１０１が含むＣＰＵ（プロセッサ）１０２のファームウエアとして、保持する。なお、クラウドアプリケーションは、アプリケーションとしてＣＰＵ１０２が動作可能に取得するものであってもよいし、予め記憶媒体等に記憶されているものであってもよい。、
図２に、クラウドアプリケーション（ＨＴＭＬ／ＪＳ／ＣＳＳ）の概略を示す。
【００２６】
クラウドアプリケーション（ＨＴＭＬ／ＪＳ／ＣＳＳ）１０３は、例えばキーイベント（核となる）処理を担う“Ｃｏｎｔｒｏｌｌｅｒ”１０４、画面表示を担う“Ｖｉｅｗ”１０５、及びＤＴＶＭＷ（ブラウザ（インターネット網１１）との間のパス）やインターネット網１１を経由して接続する任意のサーバ（外部サービス機構）１，・・・，Ｎからの情報取得とテレビ装置１０１の操作を担う“ｍｏｄｅｌ”１０６等を含む。テレビ装置１０１はまた、ネットワークを通じて、履歴サーバ１、ＥＰＧサーバ２、関連番組データベース４との間でデータの受け渡し、すなわち、ユーザが現在視聴中の番組あるいは録画した番組を再生している番組中で紹介されている情報と関連のある情報について、データ供給元サーバ５が保持する情報を参照して、合致する情報を含む録画済み番組の抽出、等を行うクラウドモジュール（ＣＥＳＩ）１０７、番組の録画と再生、及び番組やシーン／キーワード（商品）の検索、等を行うデータ処理（記録再生）モジュール１０８及び操作者（ユーザ）による指示入力を受けつける操作入力部（リモコン受信部）１０９、等を含む。なお、操作入力部１０９は、例えばテレビ装置１０１の動作を制御可能に、所定のアプリケーション（ソフトウェア）が用意された携帯可能な端末装置、例えばタブレット装置や多機能通信端末装置（スマートフォン）等であってもよい。
【００２７】
テレビ装置１０１は、データコントローラ１１１、インターネット網１１を経由して、関連番組データベース４及び履歴サーバ１に、テレビ装置（自身）１０１のＩＰアドレスや嗜好情報、現在視聴中の番組あるいは録画した番組を再生している番組中で紹介されている情報、等を送信する。
【００２８】
関連番組データベース４は、図３に一例を示すが、メタデータ作成会社すなわちデータ供給元サーバ（メタデータサーバ）５が保持するメタデータを取得し、テレビ装置１０１においてユーザが現在視聴中の番組あるいは録画した番組を再生している番組中で紹介されている情報もしくは関連のある情報と合致する情報を含む録画済み番組を抽出し、抽出したその番組の情報をテレビ装置１０１に提供する。なお、番組（シーン）の抽出には、番組が含むさまざまなシーン、例えば映画の食事シーンに登場する料理や料理番組が紹介する料理に必要な材料リスト及び調理方法すなわちレシピの紹介、番組中で紹介のあった店舗や宿泊施設（ホテル／旅館）の検索／予約情報の取得、近隣の類似グレードのホテル等の検索／空室情報の取得、等を実現可能に、さまざまな情報、及び任意の組み合わせ／除外すべき項目、等を用いる。また、レコメンド処理により特定するユーザの嗜好も反映する。
【００２９】
図３は、実施形態に係る関連番組データベースの構成の一例を示す。
【００３０】
まず、関連番組データベース４が提供する機能について記載する。なお、以下の説明においては、テレビ装置（ユーザ／クライアント端末、）１０１と関連番組データベース４またはメタデータサーバ（データ供給元サーバ）５との間のデータの受け渡し時にデータコントローラ１１１を介在させることで、履歴サーバ１に、ユーザ（テレビ装置１０１）からデータ供給元サーバ５へ供給（送信）する情報及びデータ供給元サーバ５からユーザへ提供（受信）する情報のそれぞれ、または対応するキーワード、等を蓄積できる。
【００３１】
＜コマンド（ＷｅｂＡＰＩ）処理＞    
関連番組データベース４は、以下に説明する各種データをメタデータサーバ５から取得し、テレビ装置１０１あるいは録画済番組リスト（レコーダ装置／データベース）２０１からの要求に従い、その要求先へ提供する。各種データとしては、例えば「シーン情報」や「関連番組データ」等を含む。
【００３２】
＜「シーン情報」リストの取得＞    
ユーザ（テレビ装置）１０１が指定した条件に一致する番組の「シーン情報」のリストを取得する。指定条件に一致する番組の「シーン情報」のリストが複数存在する場合は、全て取得する。条件一致する「シーン情報」のリストが存在しない場合は、その旨が通知される。
【００３３】
＜「シーン情報」リストが存在する「番組一覧」の取得＞    
ユーザ（テレビ装置）１０１が指定した条件の「シーン情報」のリストが存在する番組をリストした「番組一覧」を取得する。
【００３４】
＜「シーン情報」のリスト一覧の取得＞    
ユーザ（テレビ装置）１０１指定した番組に登録されている「シーン情報」のリストである「シーン情報リスト一覧」を取得する。
【００３５】
＜シーン情報リストの取得（ＩＤ指定）＞    
「シーン情報リスト一覧」から、指定したＩＤの「シーン情報」のリストを取得する。
【００３６】
＜「シーン情報」の検索＞    
指定した検索条件に一致する「シーン情報」を含む「シーン情報リスト」を取得する。検索条件には、ユーザが入力する任意キーワードを指定可能なものとする。
【００３７】
＜ユーザの嗜好に基づく「シーン情報」の取得＞    
履歴サーバ１が管理するユーザの嗜好に基づく「シーン情報」すなわち「キーワード」に合致するメタデータ等を取得する。
【００３８】
＜メタデータ取得処理＞    
メタデータサーバ５が提供するメタデータを取得する。
【００３９】
メタデータサーバ５が提供するメタデータの取得には、メタデータサーバ５が提供するＷｅｂＡＰＩを使用する。
【００４０】
＜「シーン情報」生成／送信処理＞    
メタデータサーバ５から取得したメタデータをもとに「シーン情報」を生成し、あるいは「関連番組データ」として抽出して、テレビ装置１０１に送信する。
【００４１】
「シーン情報」の生成時に実行する処理を下記に示す。    
（Ａ）番組情報の引き当て    
テレビ装置１０１は、    
（ａ）番組名（または番組ＩＤ等の識別情報）、    
（ｂ）番組放送日時、    
（ｃ）チャンネル番号を送信する。
【００４２】
メタデータサーバ５は、テレビ装置１０１から受信する上述の（ａ）番組名、（ｂ）番組放送日時、（ｃ）チャンネル番号に基づき、メタデータサーバ５内のデータベースを検索し、１以上の「シーン情報」が登録された該当番組が存在する場合は、その番組の１以上の「シーン情報」を生成した後、テレビ装置１０１に送信する。
【００４３】
メタデータサーバ５は、該当する番組が複数存在する場合は、全ての候補をテレビ装置１０１に送信する。
【００４４】
メタデータサーバ５は、該当する番組が存在しない場合は、その旨をテレビ装置１０１に送信する。すなわち、テレビ装置１０１は、メタデータサーバ５に対して、番組の識別情報（番組名、番組放送日、チャンネル番号等）を送信し、メタデータサーバ５から番組内のシーンに対応する「シーン情報」を受信する。
【００４５】
（Ｂ）「シーン情報」の検索    
テレビ装置１０１から受信した検索条件に一致するメタデータ情報をメタデータサーバ５内のデータベースから検索し、該当するメタデータ情報を含む「シーン情報」のリストをテレビ装置１０１に送信する。検索対象のメタデータは、図４Ａ、図４Ｂ、図４Ｃ、図４Ｄが示す番組放送履歴データ、商品データ、店舗／宿泊施設データ、ＣＭ放送履歴データとする。なお、宿泊施設データは、番組中で紹介のあった店舗や宿泊施設（ホテル／旅館）の検索／予約情報の取得、近隣の類似グレードのホテル等の検索／空室情報を含む。また、レコメンド処理により特定するユーザの嗜好も反映できる。
【００４６】
（Ｃ）シーン情報の生成    
メタデータサーバ５内のデータベースに格納された放送履歴データ、商品データ、店舗／宿泊施設データ、ＣＭ放送履歴データを関連付け、「シーン情報」を生成する。なお、１「シーン情報」内に、商品情報、店舗／宿泊施設情報が存在しない場合もある。また、１「シーン情報」内に複数の商品データ、店舗／宿泊施設データが関連付けられる場合もある。
【００４７】
（Ｄ）関連番組データの抽出    
関連番組データベース４は、メタデータサーバ５内のデータベースから、テレビ装置１０１において、ユーザが現在視聴中の番組あるいは録画した番組を再生している番組中で紹介されている情報と関連のある情報と合致する情報を、レコーダ装置２０１（もしくはテレビ装置１０１）において録画し、保持している番組から抽出可能に、検索条件を設定する。
【００４８】
すなわち、関連番組データベース４は、録画済番組リスト（レコーダ装置（ＤＢ））２０１においてリストされているレコーダ装置２０１もしくはテレビ装置１０１が保持する番組の情報と、ユーザが現在再生している番組の情報と関連のある、あるいは関連付けが可能なメタデータをメタデータサーバ５から抽出し、ユーザ（テレビ装置１０１）が参照可能に、データベース化して保持する。
【００４９】
上述のテレビ装置１０１（ユーザ）、レコーダ装置（録画済番組データベース／ホームサーバ）２０１、データコントローラ１１１、履歴サーバ（データベース）１、関連番組データベース（サーバ）４を含むシステムによれば、録画済の任意の番組、例えば映画のワンシーンもしくは宿泊施設（ホテル／旅館）の紹介、等の場面において、図５Ａが示すような、××地域の○○施設、例えば宿泊施設の映像が表示されている状態で、ユーザがリモコン（リモコン端末装置）の「メニュー」キーをオンすると、画面表示５０１内に、「メニューバー」表示５２１を表示する。なお、リモコンに、（リモコンの）キーが操作された時点で表示している映像に関する情報を表示するコマンドを出力する「気になる」キーが用意されている場合、その「気になる」キーの操作によっても、「メニューバー」表示５２１を表示する。
【００５０】
「メニューバー」表示５２１の「施設検索」バー表示５２５にフォーカスをあて、リモコンの「決定」キーをオンすると、図５Ｂが示す通り、画面表示５０１の所定の位置に、『○○施設周辺の地図を表示しますか？』等のメッセージと、「はい（ＹＥＳ）」すなわち表示する、を選択するコマンドを入力する／「いいえ（ＮＯ）」すなわち元の（１つ前の）画面表示に戻る、を選択するコマンドを入力する、ことが可能な（２つの）ボタン表示を含む、確認画面表示５３１を表示する。図５Ｂが示す確認画面表示５３１において、「はい（ＹＥＳ）」ボタン、またはリモコンの「青」キー５１１、「赤」キー５１２、「緑」キー５１３及び「黄」キー５１４のうちの「決定」コマンドの入力に対応されるキーをオンすると、図５Ｃが示すような、『○○施設周辺の地図』画面表示５４１を表示する。なお、図５Ｃが示す『○○施設周辺の地図』画面表示は、例えば「＜＜（前ページ）」すなわち１つ前のページの表示に戻るコマンド、及び「（次ページ）＞＞」すなわち次のページの表示を表示するコマンドをそれぞれ入力可能なボタン表示、あるいは「キャンセル（中止）」するコマンドを入力可能なボタン表示を含む。また、図５Ｂが示す、『施設周辺の地図を表示しますか？』画面表示５３１においても、「青」キー５１１、「赤」キー５１２、「緑」キー５１３及び「黄」キー５１４のいずれか２つについては、「＜＜（前ページ）」あるいは「（次ページ）＞＞」の画面表示の切り換え、及び他の１つについて、「キャンセル（中止）」のそれぞれのコマンドの入力が割り当てられているものとする。
【００５１】
図５Ｃが示す『○○施設周辺の地図』画面表示５４１においては、該当する施設の位置に、例えば“＋”マーク表示５４３が表示される。“＋”マーク表示５４３は、リモコンの任意の矢印キー［↑］、［↓］、［←］、［→］の操作に従い、“＋”マーク表示５４３が画面表示内を移動するものとする。“＋”マーク表示５４３は、メタデータサーバ５を通じて取得可能な「シーン情報」のうちの［緯度］／［経度］の情報と関連付けられ、ユーザが任意の矢印キーを操作する度に、“＋”マーク表示５４３が位置する位置の座標に対応する（地図上の）地点の［緯度］／［経度］の情報を取得する。
【００５２】
図５Ｃが示す『○○施設周辺の地図』画面表示５４１表示において、リモコンの「メニュー」キーの操作に従い表示する「メニューバー」表示５２１中の「施設名を表示」バー５２７（図５Ａ参照）もしくは「青」キー５１１、「赤」キー５１２、「緑」キー５１３及び「黄」キー５１４のうちの施設名を表示するための『施設名を表示』コマンドの入力に対応するキーをオンすると、図５Ｃが示す『○○施設周辺の地図』画面表示５４１表示内の所定の位置に、図５Ｄに示すような施設名を表示する『ポップアップ』画面表示５５１を『◇◇施設周辺の地図』画面表示５４１表示の一部と重ねて表示する。なお、図５Ｄが示す『ポップアップ』画面表示５５１は、「キャンセル（中止）」するコマンドを入力可能なボタン表示あるいは「１つ前の表示に戻る」コマンドを入力可能なボタン表示を、同一表示内に含むことが好ましい。また、図５Ｄが示す『ポップアップ』画面表示５５１は、図５Ｃが示す『○○施設周辺の地図』画面表示５４１を完全に覆う大きさが与えられても構わない。
【００５３】
なお、図５Ｃ及び図５Ｄが示す『○○施設周辺の地図』画面表示及び『ポップアップ』表示は、例えば図５Ｅが示すように、当初の画面表示５０１内の施設の画像を、例えば横方向に圧縮して表示する画面表示５１０と、『○○施設周辺の地図』画面表示５６１と、施設名をボタン表示とした「ジャンプ」ボタン表示５６２と、例えば『予約しますか？』等のメッセージ表示５６３と、を含む『施設詳細』画面表示５６０のように、画面表示のデザインは、任意に設定することができる。
【００５４】
図５Ｆは、図５Ｃが示す『○○施設周辺の地図』画面表示５４１表示においてリモコンの「メニュー」キーの操作に従い表示する「メニューバー」表示５２１中の「予約する」バー５２９（図５Ａ参照）もしくは「青」キー５１１、「赤」キー５１２、「緑」キー５１３及び「黄」キー５１４のうちの施設名を表示するための『予約する』コマンドの入力に対応するキーあるいは図５Ｅが示す「ジャンプ」ボタン表示５６２のオン、等により、起動する『予約』画面表示５７１の表示例の一例を示す。
【００５５】
図５Ｆが示す『予約』画面表示５７１においては、関連番組データベース４が保持するメタデータと「シーン情報」との関連付けにより、『予約』画面表示５７１が表示された時点で、例えば［都道府県］入力欄５７２、「エリア」入力欄５７３及び「施設名」入力欄５７４に、対応する情報すなわち『ホテル◇◇の宿』、等、が表示される。なお、番組が放送途中であるような場合においては、出演者の会話のテキスト化、等に基づいて特定される情報、例えば『施設名』のみが特定（表示）される場合もある。
【００５６】
図５Ｆが示す『予約』画面表示５７１を適用することで、録画済番組の再生中や、現在放送途中である番組の任意の時刻に紹介される施設の情報、特に『施設名』を、そのまま予約対象として取得できる。従い、番組が紹介した施設（サービス）の利用や宿泊を予約しようとするユーザ（視聴者）は、例えば［日時］や［人数］、［食事の有無］、［上限（希望）金額］、等の、いくつかの要素を入力することにより、予約を実行可能となる。これにより、ユーザによる入力間違いやテキスト変換（文字情報入力）時の類語変換、等に起因して、番組で紹介された施設と異なる施設へのアクセスや予約、誤った施設情報に基づく検索の実行、等を低減できる。このことは、人気の高い施設（サービス）の利用や宿泊の予約時、等において、施設（サービス）を特定するために必要な情報の入力のために生じる時間の経過、等に起因して、施設（サービス）の予約ができない（プランの売り切れ／希望の条件が残っていない）、等が発生することを抑制できる。すなわち、番組が紹介した施設（サービス）の利用や宿泊を予約しようとするユーザ（視聴者）の利便性が向上する。
【００５７】
図５Ｆが示す『予約』画面表示５７１表示において、視聴者（ユーザ）が、「青」キー５１１、「赤」キー５１２、「緑」キー５１３及び「黄」キー５１４のうちの例えば『予約を実行する』コマンドの入力に対応するキー、あるいは「（次ページ）＞＞」ボタンの操作に関連付けられる『予約の実行』画面表示、等のＵＩ（ユーザインタフェース）画面から『予約の実行』を指示すると、データコントローラ１１１を通じてインターネット網１１上に位置する所定のサイト、例えばエージェント（旅行会社）の予約受付サイトや、対象の施設が運営する予約受付サイトとの間の通信（サイトへのアクセス及びサイトからの応答）が確立する。
【００５８】
接続したサイトにおいて、ユーザ（視聴者）が希望する条件の予約が可能である時は、そのサイトとの間の通信及び決済（あるいは決済方法の決定）、等の所定の手続を進めることで、番組が紹介した施設（サービス）の利用や宿泊の予約が完了する。
【００５９】
反面、予約が一杯であったり、いくつかの要素についてユーザが条件を変更する必要が生じる場合には、図５Ｇが示す表示例のような『希望した条件での予約ができません。類似する施設の画像を表示しますか？』、等の代替案（施設の映像）を表示する画面表示５８１を表示する。
【００６０】
図５Ｇが示す代替案（施設の画像）を表示する画面表示５８１において、ユーザが「はい（ＹＥＳ）」ボタンにより、同意する意思を示した（制御信号を入力した）場合、上述したメタデータ（「シーン情報」）や履歴サーバが保持する履歴を参照し、番組中で紹介のあった店舗や宿泊施設（ホテル／旅館）の検索／予約情報の取得、近隣の類似グレードのホテル等の検索／空室情報から、例えば図５Ｈが示すように、『日程（日時）を変更することで、予約できます。日程（日時）を変更しますか？』、等の代替案（スケジュール入力画面表示）を表示する画面表示５９１を表示することができる。なお、検索に利用する情報としては、例えば上述の紹介のあった『ホテル◇◇の宿』に位置的に近い施設、以前に別の番組で紹介された同じエリア（地域）内の施設、上述の紹介のあった『ホテル◇◇の宿』の系列の他地域の施設、等、を含む。
【００６１】
なお、図５Ｇが示す代替案の画面表示としては、代替施設に関する映像を含む録画済の番組の再生を促すＵＩ（ユーザインタフェース）を表示することも可能である。また、図５Ｇが示す代替案の画面表示としては、同じ施設を紹介する別の番組をリスト化した表示であってもよい。その場合、例えば録画済番組の番組名を「ジャンプ」ボタン表示とすることで、ユーザは、紹介された録画済番組を容易に再生できる。
【００６２】
代替案の画面表示例としては、例えばその施設のあるエリアに位置する施設毎の、さまざまな番組で紹介された回数、等を、例えば『紹介履歴』としてリスト化して、あるいはランキング形式の画面表示として、表示することも可能である。また、画面表示の一例として、例えば『この施設は、□□番組でも紹介されました』、等の、アフェリエイト形式を用いることもできる。なお、その施設のあるエリアに位置するエージェント（旅行代理店）に関する情報を表示してもよい。その場合、例えばエージェントが薦めるプランや料金を、併せて表示してもよい。また、関連する番組の視聴が可能な外部のサービス、例えばＶＯＤ（ビデオオンデマンド）サービスのサイトを紹介することも可能である。
【００６３】
なお、予約が完了した場合に、例えば図６が示す『転送』画面表示６１０、等を番組の画面表示５０１に表示し、ユーザ（視聴者）が実際に施設を利用する際の利便性を高めることができる。例えば、図６が示すように、ユーザが保持する携帯端末装置（タブレット装置）に予約情報を転送することや、ユーザが所有する車のカーナビゲーションシステムに、地図情報やカーナビゲーションシステムが利用可能な、例えば電話番号、等の情報を転送することを実現するＵＩ（ユーザインタフェース）画面を表示して、ユーザの操作を促すことができる。なお、図６に示す『転送』画面表示６１０において、「はい（ＹＥＳ）」ボタンにより、情報の転送の指示が入力されると、例えば図７に示すような『転送先を指定してください』、等のメッセージ表示７１１と、予めユーザが指定した端末装置名やカーナビゲーションシステム名を、例えば「ジャンプ」ボタン表示としたボタン、あるいはチェックボックス（ラジオボタン）が個々に用意された転送先指定欄７１２、送信を実行するコマンドを出力する「送信（決定）」ボタン７１３、あるいは送信を中止して１つ前の画面を表示する（または転送そのものをやめる）コマンドを出力する「キャンセル（取消）」ボタン７１４、等を含む『送信』画面表示７１０が表示される。
【００６４】
なお、図５Ａ〜図５Ｈ、図６及び図７が示す画面表示例は、ユーザ指示（リモコンキーの操作や画面表示されたボタンに対するリモコン操作での応答）に従い、さまざまな表示パターン（アルゴリズム）で、変更されることはいうまでもない。
【００６５】
このように、実施形態を適用することで、ユーザは、録画済番組や視聴中の番組が紹介する施設やサービスの利用の予約や、予約情報（空き情報）の確認を、入力間違いやテキスト変換（文字情報入力）時の類語変換、等に起因して、番組で紹介された施設と異なる施設へのアクセスや予約、誤った施設情報に基づく検索の実行、等を生じることなく実現できる。
【００６６】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2014206911.tif 000003
【図２】
2014206911.tif 000004
【図３】
2014206911.tif 000005
【図４Ａ】
2014206911.tif 000006
【図４Ｂ】
2014206911.tif 000007
【図４Ｃ】
2014206911.tif 000008
【図４Ｄ】
2014206911.tif 000009
【図５Ａ】
2014206911.tif 000010
【図５Ｂ】
2014206911.tif 000011
【図５Ｃ】
2014206911.tif 000012
【図５Ｄ】
2014206911.tif 000013
【図５Ｅ】
2014206911.tif 000014
【図５Ｆ】
2014206911.tif 000015
【図５Ｇ】
2014206911.tif 000016
【図５Ｈ】
2014206911.tif 000017
【図６】
2014206911.tif 000018
【図７】
2014206911.tif 000019